(57)【要約】【課題】異なる種類のコーキング材の打ち継ぎ作業が容易に且つ正確に行える。【解決手段】壁１の目地溝２内に目地溝２の長手方向と直交する仕切り片３を有する仕切り部材４をセットすると共に仕切り片３の先端部を壁１の外面よりも突出させる。次に、仕切り部材４で仕切った目地溝２の片側にコーキング材５ａを充填すると共に該コーキング材５ａが硬化する前に仕切り部材４で仕切った目地溝２の他の片側に上記コーキング材５ａと色又は材質の異なる異種のコーキング材５ｂを充填する。その後、目地溝２からはみ出したコーキング材５ａ及び異種のコーキング材５ｂを掻き取って均す。その後、仕切り片３の壁１の外面より突出した部位を切断除去する。【選択図】　　　　図１
2004011120.tif 000002
【特許請求の範囲】
【請求項１】
壁の目地溝内に目地溝の長手方向と直交する仕切り片を有する仕切り部材をセットすると共に仕切り片の先端部を壁の外面よりも突出させ、次に、仕切り部材で仕切った目地溝の片側にコーキング材を充填すると共に該コーキング材が硬化する前に仕切り部材で仕切った目地溝の他の片側に上記コーキング材と色又は材質の異なる異種のコーキング材を充填し、目地溝からはみ出したコーキング材及び異種のコーキング材を掻き取って均し、その後、仕切り片の壁より突出した部位を切断除去することを特徴とするコーキング材の打ち継ぎ方法。
【請求項２】
複数の壁パネルを建て込んで壁を形成すると共に隣接する壁パネル間に目地溝を形成し、目地溝の長手方向において外面仕上げが異なる壁パネルの境界部を仕切り部材により仕切ることを特徴とする請求項１記載のコーキング材の打ち継ぎ方法。
【請求項３】
複数の壁パネルを建て込んで壁を形成し、任意の壁パネルに異なる種類の外装材を取着すると共に外装材間に目地溝を形成し、外装材間に形成された目地溝の長手方向において外面仕上げが異なる外装材の境界部を仕切り部材により仕切ることを特徴とする請求項１又は請求項２記載のコーキング材の打ち継ぎ方法。
【請求項４】
底片から直角に仕切り片を突設して仕切り部材を構成し、仕切り部材の底片を目地溝の溝底に当接した状態で目地溝にコーキング材を充填することを特徴とする請求項１乃至請求項３のいずれかに記載のコーキング材の打ち継ぎ方法。
【発明の詳細な説明】
【０００１】
【発明の属する技術分野】
本発明は、外壁などの壁の目地溝にコーキング材を打ち継いで充填する技術に関するものである。
【０００２】
【従来の技術】
建物の外壁を構成するに当たって、壁パネルを建て込むことで外壁を構成しているが、壁パネルと壁パネルとの間には目地溝が形成される。この目地溝にはコーキング材を充填することで隣接する壁パネル間の隙間に形成される目地溝から雨水が浸入しないようにしている。
【０００３】
ところで、従来にあっては外壁を構成する壁パネルとして外面仕上げが同じ仕上げとなったものを使用しており、このため、壁パネルを建て込んで形成する外壁の外面はすべて同じ仕上げの同じ外観となっていた。壁パネルの外面仕上げの色に対応した色、あるいは壁パネルの外面仕上げ材の材質に付着しやすい材質のコーキング材を１種類だけ選定してすべての目地溝に同じコーキング材を充填していた。このため、コーキング材の打ち継ぎにあたっても、コーキング材が硬化する前に打ち継いでも外観に何ら悪影響を与えず、また、コーキング材の付着性能も何ら低下しないものである。
【０００４】
ところが、近年、同じ建物において外面仕上げの異なる壁パネルを用いることで建物の外壁の外観を変化のある外観としたり、あるいは、予め工場で外面仕上げされた壁パネルと、現場で吹き付け等により外面仕上げを行う壁パネルとを併用して外壁を形成することで変化のある外観にすることが行われている。このような場合、目地溝に充填するコーキング材としてそれぞれの壁パネルに対応した色や材質のコーキング材を打ち継ぐ必要がある。
【０００５】
このため、従来にあっては、例えば、ある色の壁パネルに沿った目地溝の部分に先に該壁パネルに対応した色のコーキング材を充填し、この先に充填したコーキング材の壁パネルからはみ出した部分を掻き取って均し、このコーキング材が硬化した後、目地溝内におけるコーキング材の端部を該壁パネルの端部の位置で切断して目地溝内の該壁パネルの端部からはみ出したコーキング材を除去し、次に、隣の壁パネル（上記壁パネルと異なる色の壁パネル）に対応した別の色のコーキング材を目地溝内に充填し、その後、後から目地溝に充填したコーキング材を掻き取って均すことで、異なるコーキング材を打ち継ぎぐようにしている。
【０００６】
したがって、異なるコーキング材の打ち継ぎ作業がきわめて面倒になるという問題がある。
【０００７】
【発明が解決しようとする課題】
本発明は上記の点に鑑みてなされたものであり、異なる種類のコーキング材の打ち継ぎ作業が容易に且つ正確に行えるコーキング材の打ち継ぎ方法を提供することを課題とするものである。
【０００８】
【課題を解決するための手段】
上記課題を解決するために本発明に係るコーキング材の打ち継ぎ方法は、壁１の目地溝２内に目地溝２の長手方向と直交する仕切り片３を有する仕切り部材４をセットすると共に仕切り片３の先端部を壁１の外面よりも突出させ、次に、仕切り部材４で仕切った目地溝２の片側にコーキング材５ａを充填すると共に該コーキング材５ａが硬化する前に仕切り部材４で仕切った目地溝２の他の片側に上記コーキング材５ａと色又は材質の異なる異種のコーキング材５ｂを充填し、目地溝２からはみ出したコーキング材５ａ及び異種のコーキング材５ｂを掻き取って均し、その後、仕切り片３の壁１の外面より突出した部位を切断除去することを特徴とするものである。このように、目地溝２内の仕切り片３を介した両側に異なる種類のコーキング材５ａ、５ｂをそれぞれ充填することで、異なる種類のコーキング材５ａ、５ｂを打ち継ぐことができるものであり、しかも、仕切り片３は壁１の外面よりも突出しているので種類の異なるコーキング材５ａ、５ｂを仕切り片３の両側の目地溝２内に充填したコーキング材５ａ、５ｂが混じり合ったり、一方のコーキング材５ａが他方のコーキング材５ｂ上に乗り上げるといったことがなく、また、コーキング材５ａ、５ｂの掻き取り、均しが連続して行えるものであり、また、仕切り片３の壁１の外面より突出した部位を切断除去することで、仕切り片３が壁１の外面から突出せず、仕上がりを良好にできるものである。
【０００９】
また、複数の壁パネル６を建て込んで壁１を形成すると共に隣接する壁パネル６間に目地溝２を形成し、目地溝２の長手方向において外面仕上げが異なる壁パネル６ａ、６ｂの境界部を仕切り部材４により仕切ることが好ましい。このような方法を採用することで、壁パネル６間に形成された目地溝２の長手方向において外面仕上げが異なる仕上げの壁パネル６ａ、６ｂに対応した色や材質のコーキング材５ａ、５ｂを簡単に打ち継ぐことができるものである。
【００１０】
また、複数の壁パネル６を建て込んで壁１を形成し、任意の壁パネル６に異なる種類の外装材７ａ、７ｂを取着すると共に外装材７間に目地溝２を形成し、外装材７間に形成された目地溝２の長手方向において外面仕上げが異なる外装材７ａ、７ｂの境界部を仕切り部材４により仕切ることが好ましい。このような方法を採用することで、壁パネル６に異なる種類の外装材７ａ、７ｂを取着したものにおいて、外装材７間に形成された目地溝２の長手方向において外面仕上げが異なる外装材７ａ、７ｂに対応した色や材質のコーキング材５ａ、５ｂを簡単に打ち継ぐことができるものである。
【００１１】
また、底片８から直角に仕切り片３を突設して仕切り部材４を構成し、仕切り部材４の底片８を目地溝２の溝底に当接した状態で目地溝２にコーキング材５を充填することが好ましい。このような方法を採用することで、仕切り片３が傾くことがなく目地溝２に対して垂直姿勢となるように仕切り部材４をセットできて、簡単且つ正確に色や材質の異なるコーキング材５ａ、５ｂを打ち継ぐことができるものである。
【００１２】
【発明の実施の形態】
以下、本発明を添付図面に示す実施形態に基づいて説明する。
【００１３】
本発明に用いる仕切り部材４は金属あるいは合成樹脂により形成してあり、平板状の底片８から仕切り片３を底片８に対して垂直に突設して形成してあり、添付図面に示す実施形態では底片８の中央部から仕切り片３を垂直に突設した略Ｔ字状をしているが、底板８の端部から仕切り片３を垂直に突設した略Ｌ字状であってもよい。
【００１４】
図１には図２に示すような建物の壁１の一例が示してあり、複数の壁パネル６を建て込んで壁１を構成してあり、隣接する壁パネル６間に目地溝２が形成してある。そして、図２において壁パネル６のうち壁パネル６ａと壁パネル６ｂとは外面仕上げの色あるいは材質が異なっている。
【００１５】
ところで、図２においては壁パネル６として上下階用の四角形状をした壁パネル６Ａと、四角形状をした上下階の壁パネル６Ａ間に配設される幕板壁パネル６Ｂと、上階の壁パネル６Ａの上端部に配設される上縁が傾斜した妻壁パネル６Ｃとがある。
【００１６】
ここで、図１、図３には目地溝２の一例として図２のＸで示す部分の目地溝２が示してあり、上階の壁パネル６Ａ同士が横方向に隣接して形成される目地溝２と上階の壁パネル６Ａと幕板壁パネル６Ｂが上下方向に隣接して形成される目地溝２とが十字状に交差した部分が示してある。
【００１７】
図１、図２、図３において上階の壁パネル６Ａのうち６Ａ１で示すものと、幕板壁パネル６Ｂのうち上記壁パネル６Ａ１に上下方向に隣接する幕板壁パネル６Ｂ１は外面仕上げが同じになっている。また、上階の壁パネル６Ａのうち上記上階の壁パネル６Ａ１と横方向に隣接する上階の壁パネル６Ａ２と、幕板壁パネル６Ｂ１と横方向に隣接する幕板壁パネル６Ｂ２とは外面仕上げが同じ外面仕上げとなっている。また、上階の壁パネル６Ａ１、幕板壁パネル６Ｂ１の外面仕上げと、上階の壁パネル６Ａ２、幕板壁パネル６Ｂ２の外面仕上げとは異なる色又は外面仕上げの材料が異なっている。
【００１８】
したがって、以下においては、同じ外面仕上げの上階の壁パネル６Ａ１、幕板壁パネル６Ｂ１を壁パネル６ａ、これと異なる外面仕上げの上階の壁パネル６Ａ２、幕板壁パネル６Ｂ２を壁パネル６ｂとして説明する。
【００１９】
目地溝２にコーキング材５を充填するに当たって、まず、図１，図４に示すように、壁パネル６ａ、６ｂの表面の目地溝２の両側に沿ってマスキングテープ３０を貼り付け、更に、目地溝２の長手方向において外面仕上げが異なる壁パネル６ａ、６ｂの境界部の内部に仕切り部材４を嵌め込んでセットする。すなわち、この実施形態では上下に同じ外面仕上げとなった上下の壁パネル６ａ間（上階の壁パネル６Ａ１と幕板壁パネル６Ｂ１との間）に形成される目地溝２ａと、上下に同じ外面仕上げとなった上下の壁パネル６ｂ間（上階の壁パネル６Ａ２と幕板壁パネル６Ｂ２との間）に形成される目地溝２ｂとが横方向に一直線状に連続している。また、横方向に隣合う壁パネル６ａと壁パネル６ｂ間に形成される目地溝（上階の壁パネル６ａと上階の壁パネル６ｂとの間に形成される目地溝２ｃと横方向に隣合う幕板壁パネル６Ｂ１と幕板壁パネル６Ｂ２の間に形成される目地溝２ｄ）が縦方向に一直線状に連続しており、上記横方向に連続した目地溝と縦方向に連続した目地溝とが交差している。そして、本発明においては上下の壁パネル６ａ間（上階の壁パネル６Ａ１と幕板壁パネル６Ｂ１との間）に形成される目地溝２ａの端部に仕切り片３が位置するように仕切り部材４を目地溝２内に嵌め込んで底片８が目地溝２の溝底に当接するようにセットする。この場合、底片８を粘着テープにより目地溝２の溝底に仮付着させてもよい。
【００２０】
ここで仕切り片３は目地溝２の溝深さよりも長く、仕切り部材４を目地溝２内に嵌め込んでセットすると図４（ｂ）のように仕切り片３の先端部が壁１の外面よりも一定長さ突出するものである。
【００２１】
次に、図５に示すように、仕切り部材４で仕切った目地溝２の片側である目地溝２ａ部分にコーキング材５ａを充填し、該コーキング材５ａが硬化する前に図６に示すように、仕切り部材４で仕切った目地溝２の他の片側である目地溝２ｂに上記コーキング材５ａと色又は材質の異なる異種のコーキング材５ｂを充填する。この場合、目地溝２ｃ、目地溝２ｄにも目地溝２ｂに充填するコーキング材５ｂと同じ種類のコーキング材５ｂを充填する。
【００２２】
ここで、目地溝２ａに充填するコーキング材５ａとしては壁パネル６ａ（上階の壁パネル６Ａ１、幕板壁パネル６Ｂ１）に対応した色あるいは材質のものを用いるものであり、目地溝２ｂ、２ｃ、２ｄに充填するコーキング材５ｂとしては壁パネル６ｂ（上階の壁パネル６Ａ２、幕板壁パネル６Ｂ２）に対応した色あるいは材質のものを用いるものであり、例えば、壁パネル６ａがレッドブラウン色の場合、同じレッドブラウン色あるいはレッドブラウンと同色系統の色をしたコーキング材５ａを用いるものであり、壁パネル６ｂがディープグレー色の場合、同じディープグレー色あるいはディープグレーと同色系統の色をしたコーキング材５ｂを用いるものであり、これにより、壁パネル６ａ間に形成されたコーキング材５ａを充填した目地溝２ａ部分が壁パネル６ａと統一された外観となり、また、壁パネル６ｂ間に形成されたコーキング材５ｂを充填した目地溝２ｂ部分が壁パネル６ｂと統一された外観となる。更に、また、コーキング材５ｂを充填した目地溝２ｃ、２ｄ部分が壁パネル６ｂと統一された外観となる。
【００２３】
また、壁パネル６ａ、壁パネル６ｂの外面仕上げが同色系統の色であったとしても、外面仕上げの材料が壁パネル６ａと壁パネル６ｂとで異なる場合には、目地溝２ａに充填するコーキング材５ａとしては壁パネル６ａの外面仕上げ材料と接着性の良好な材質のものを使用し、目地溝２ｂに充填するコーキング材５ｂとしては壁パネル６ｂの外面仕上げ材料と接着性の良好な材質のものを使用する。これにより、壁パネル６の外面の仕上げがことなっても充填したコーキング材５を良好に付着させることができる。
【００２４】
上記のような異種のコーキング材５を目地溝２に充填し、コーキング材５ａ、５ｂが硬化する前に、図７に示すように、各コーキング材５ａ、５ｂの壁パネル６の外面からはみ出した部分を掻き取って均し、マスキングテープ３０を剥離する。その後、仕切り片３の壁１の外面より突出した部位を切断除去する。
【００２５】
ところで、上記実施形態においては壁パネル６間に形成される目地溝２に異なる種類のコーキング材５ａ、５ｂを打ち継ぐ例で説明したが、複数の壁パネル６を建て込んで壁１を形成するものにおいて、任意の壁パネル６に異なる種類の外装材７ａ、７ｂを取着すると共に外装材７間に目地溝２を形成した場合には、図８に示すように、外装材７間に形成された目地溝２の長手方向において外面仕上げが異なる外装材７ａ、７ｂの境界部に仕切り部材４をセットして目地溝２を仕切り片３により仕切ると共に仕切り片３の先端部を壁１の外面である外装材７ａ、７ｂよりも突出させ、次に、仕切り部材４で仕切った目地溝２の片側の外装材７ａに対応する部分に外装材７ａの外面仕上げに対応したコーキング材５ａを充填すると共に該コーキング材５ａが硬化する前に仕切り部材４で仕切った目地溝２の他の片側の外装材７ｂの外面仕上げに対応したコーキング材５ｂ（コーキング材５ｂは上記コーキング材５ａと色又は材質の異なる）を充填し、目地溝２からはみ出したコーキング材５ａ及び異種のコーキング材５ｂを掻き取って均し、その後、仕切り片３の壁１の外面より突出した部位を切断除去するようにしてもよい。この場合も、壁パネル６間に形成される目地溝２にコーキング材５を充填するに当たっては、前述と同様にして行うものである。
【００２６】
【発明の効果】
上記のように本発明の請求項１記載の発明にあっては、壁の目地溝内に目地溝の長手方向と直交する仕切り片を有する仕切り部材をセットすると共に仕切り片の先端部を壁の外面よりも突出させ、次に、仕切り部材で仕切った目地溝の片側にコーキング材を充填すると共に該コーキング材が硬化する前に仕切り部材で仕切った目地溝の他の片側に上記コーキング材と色又は材質の異なる異種のコーキング材を充填し、目地溝からはみ出したコーキング材及び異種のコーキング材を掻き取って均し、その後、仕切り片の壁より突出した部位を切断除去するので、目地溝内の仕切り片を介した両側に異なる種類のコーキング材をそれぞれ充填することで、異なる種類のコーキング材を打ち継ぐことができるものであり、しかも、仕切り片は壁の外面よりも突出しているので種類の異なるコーキング材を仕切り片の両側の目地溝内に充填したコーキング材が混じり合ったり、一方のコーキング材が他方のコーキング材上に乗り上げるといったことがなく、また、コーキング材の掻き取り、均しが連続して行えるものであり、また、仕切り片の壁の外面より突出した部位を切断除去することで、仕切り片が壁の外面から突出せず、仕上がりを良好にできるものである。
【００２７】
また、請求項２記載の発明にあっては、上記請求項１記載の発明の効果に加えて、複数の壁パネルを建て込んで壁を形成すると共に隣接する壁パネル間に目地溝を形成し、目地溝の長手方向において外面仕上げが異なる壁パネルの境界部を仕切り部材により仕切るので、壁パネル間に形成された目地溝の長手方向において外面仕上げが異なる仕上げの壁パネルに対応した色や材質のコーキング材を簡単に打ち継ぐことができるものである。
【００２８】
また、請求項３記載の発明にあっては、上記請求項１又は請求項２記載の発明の効果に加えて、複数の壁パネルを建て込んで壁を形成し、任意の壁パネルに異なる種類の外装材を取着すると共に外装材間に目地溝を形成し、外装材間に形成された目地溝の長手方向において外面仕上げが異なる外装材の境界部を仕切り部材により仕切るので、壁パネルに異なる種類の外装材を取着したものにおいて、外装材間に形成された目地溝の長手方向において外面仕上げが異なる外装材に対応した色や材質のコーキング材を簡単に打ち継ぐことができるものである。
【００２９】
また、請求項４記載の発明にあっては、上記請求項１乃至請求項３のいずれかに記載の発明の効果に加えて、底片から直角に仕切り片を突設して仕切り部材を構成し、仕切り部材の底片を目地溝の溝底に当接した状態で目地溝にコーキング材を充填するので、仕切り片が傾くことがなく目地溝に対して垂直姿勢となるように仕切り部材をセットできて、簡単且つ正確に色や材質の異なるコーキング材を打ち継ぐことができるものである。
【図面の簡単な説明】
【図１】本発明のコーキング材の打ち継ぎ方法において仕切り部材の目地溝へのセット状態を示す説明図である。
【図２】同上の外壁の外面仕上げを部分的に異ならせた建物の一例を示す全体正面図である。
【図３】同上のコーキング材の打ち継ぎ方法の順序を示す説明図である。
【図４】同上のコーキング材の打ち継ぎ方法の順序を示す説明図である。
【図５】同上のコーキング材の打ち継ぎ方法の順序を示す説明図である。
【図６】同上のコーキング材の打ち継ぎ方法の順序を示す説明図である。
【図７】同上のコーキング材の打ち継ぎ方法の順序を示す説明図である。
【図８】本発明のコーキング材の打ち継ぎ方法において他の実施形態における仕切り部材の目地溝へのセット状態を示す説明図である。
【符号の説明】
１　壁
２　目地溝
３　仕切り片
４　仕切り部材
５　コーキング材
５ａ　コーキング材
５ｂ　コーキング材
６　壁パネル
６ａ　壁パネル
６ｂ　壁パネル
７　外装材
７ａ　外装材
７ｂ　外装材
８　底片
【図１】
2004011120.tif 000003
【図２】
2004011120.tif 000004
【図３】
2004011120.tif 000005
【図４】
2004011120.tif 000006
【図５】
2004011120.tif 000007
【図６】
2004011120.tif 000008
【図７】
2004011120.tif 000009
【図８】
2004011120.tif 000010